(57)【要約】【課題】近傍の外部端末装置と携帯通信装置との間での通信接続の設定を携帯通信装置側の状態に応じて適切に解除できるようにする。【解決手段】携帯電話機１は、特定状態（例えば、電池残量や受信環境の悪化）になった際に、腕時計（外部端末装置）２に対して当該携帯電話機１との通信接続の設定（通信リンクの確立）を解除すべきことを通知すると共にその設定解除の報知を行うべきことを通知し、かつ、携帯電話機１との通信接続の設定を解除する。【選択図】  図１
2012060492.tif 000002
【特許請求の範囲】
【請求項１】
近傍の外部端末装置との間で通信接続を設定する携帯通信装置であって、
当該携帯通信装置が特定状態になったか否かを判別する判別手段と、
前記判別手段により特定状態になったことが判別される際に、前記外部端末装置に対して当該携帯通信装置との通信接続の設定を解除すべきことを通知すると共にその設定解除の報知を行うべきことを通知し、かつ、前記外部端末装置との通信接続の設定を解除する通信制御手段と、
を具備したことを特徴とする携帯通信装置。
【請求項２】
前記通信制御手段は、前記通信接続の設定を解除すべきことを前記外部端末装置に対して通知する場合に、前記特定状態がどのような状態なのかを示す情報を前記外部端末装置に対して送信する、
ようにしたことを特徴とする請求項１記載の携帯通信装置。
【請求項３】
電源電池の残量を検出する残量検出手段をさらに備え。
前記判別手段は、前記残量検出手段によって検出された電池残量の低下状態を前記特定状態として判別する、
ようにしたことを特徴とする請求項１記載の携帯通信装置。
【請求項４】
外部通信網との受信状態を検出する受信検出手段をさらに備え、
前記判別手段は、前記受信検出手段によって検出された受信状態の悪化状態を前記特定状態として判別する、
ようにしたことを特徴とする請求項１記載の携帯通信装置。
【請求項５】
前記判別手段は、当該携帯通信装置が前記特定状態とは異なる他の特定状態になったか否かを判別し、
前記通信接続制御手段は、前記判別手段により前記他の特定状態になったことが判別された際に、前記外部端末装置と当該携帯通信装置との通信接続を設定すべきことを前記外部端末装置に対して通知すると共に、前記外部端末装置との通信接続を設定する、
ようにしたことを特徴とする請求項１記載の携帯通信装置。
【請求項６】
前記通信制御手段は、前記通信接続を設定すべきことを前記外部端末装置に対して通知する場合に、前記他の特定状態がどのような状態なのかを示す情報を前記外部端末装置に対して送信する、
ようにしたことを特徴とする請求項５記載の携帯通信装置。
【請求項７】
電源電池の残量を検出する残量検出手段をさらに備え。
前記判別手段は、前記残量検出手段によって電池残量が所定値以上の良好な状態に回復した際に前記他の特定状態として判別する、
ようにしたことを特徴とする請求項５記載の携帯通信装置。
【請求項８】
外部通信網との受信状態を検出する受信検出手段をさらに備え、
前記判別手段は、前記受信検出手段によって受信強度が所定値以上の良好な状態に回復した際に前記他の特定状態として判別する、
ようにしたことを特徴とする請求項５記載の携帯通信装置。
【請求項９】
着信時に着信音を出力する着信音出力モードと着信音の出力を制限する着信音制限モードとの切り替えを行うモード切替手段をさらに備え、
前記判別手段は、前記モード切替手段により着信音出力モードから着信音制限モードに切り替えられた際に前記他の特定状態として判別する、
ようにしたことを特徴とする請求項５記載の携帯通信装置。
【請求項１０】
近傍の外部端末装置との間で通信接続を設定する携帯通信装置であって、
当該携帯通信装置が特定状態になったか否かを判別する判別手段と、
前記外部端末装置との通信接続の設定を解除する際に、前記判別手段により特定状態であることが判別された場合には、その通信接続の設定を解除するに先立って、前記特定状態を報知用の情報として前記外部端末装置に対して送信する通信制御手段と、
を具備したことを特徴とする携帯通信装置。
【請求項１１】
前記判別手段は、当該携帯通信装置が前記特定状態とは異なる他の特定状態になったか否かを判別し、
前記通信制御手段は、さらに前記外部端末装置との通信接続を設定した際に、前記判別手段により他の特定状態であることが判別された場合には、前記他の特定状態を報知用の情報として前記外部端末装置に送信する、
ようにしたことを特徴とする請求項１０記載の携帯通信装置。
【請求項１２】
コンピュータに対して、
近傍の外部端末装置との間で通信接続を設定する機能と、
当該携帯通信装置が特定状態になったか否かを判別する機能と、
前記特定状態になったことが判別される際に、前記外部端末装置に対して当該携帯通信装置との通信接続の設定を解除すべきことを通知すると共にその設定解除の報知を行うべきことを通知し、かつ、前記外部端末装置との通信接続の設定を解除する機能と、
を実現させるためのプログラム。
【請求項１３】
コンピュータに対して、
近傍の外部端末装置との間で通信接続を設定する機能と、
当該携帯通信装置が特定状態になったか否かを判別する機能と、
前記外部端末装置との通信接続の設定を解除する際に、前記特定状態であることが判別された場合には、その通信接続の設定を解除するに先立って、前記特定状態を報知用の情報として前記外部端末装置に対して送信する機能と、
を実現させるためのプログラム。
【発明の詳細な説明】
【技術分野】
【０００１】
本発明は、近傍の外部端末装置との間で通信接続の設定が可能な携帯通信装置及びプログラムに関する。
【背景技術】
【０００２】
従来、ユーザが一緒に携帯する携帯通信装置（例えば、携帯電話機）と外部端末装置（例えば、腕時計）との間において非接触タイプの近距離通信によって交信を行うようにした技術が存在しているが、この種のものとしては、例えば、着信音の出力を制限するマナーモード下での着信を腕時計側に通知することにより着信報知を腕時計側で行わせるようにした技術が開示されている（特許文献１参照）。これによって、着信時に携帯電話機を鞄などの中に収納しておいても、身につけている腕時計でその着信を知ることができるようになるが、このような着信報知の仕方を有効とするためには、携帯電話機側と腕時計側との相互において通信接続の設定操作を事前に行うようにし、逆にその設定を解除する場合にも相互で解除操作を行うようにしている。
【先行技術文献】
【特許文献】
【０００３】
【特許文献１】特開２００６−３４５２１２号公報
【発明の概要】
【発明が解決しようとする課題】
【０００４】
しかしながら、上述した先行技術あっては、例えば、携帯電話機側で電池残量が極めて少なくなっていて充分な出力で腕時計に対して着信通知を行うことができない状況になっていたり、携帯電話機に電波が届かないために着信自体を検出できない状況になっていたりしていると、着信があっても腕時計への着信通知が行われないために、腕時計での着信報知を待っているユーザにあっては、携帯電話機側が異常事態にあるとは知らず、単に着信が無いだけであると判断してしまう。このような異常事態では、腕時計との通信接続の設定を緊急に解除した方が好ましいが、腕時計側にあってはそのことを知る術はなく、携帯電話機との通信接続の設定を継続し続けることにより、無駄に電池消耗を招いてしまう、という問題もあった。
【０００５】
本発明の課題は、近傍の外部端末装置と携帯通信装置との間での通信接続の設定を携帯通信装置側の状態に応じて適切に解除できるようにすることである。
【課題を解決するための手段】
【０００６】
上述した課題を解決するために請求項１記載の発明は、
近傍の外部端末装置との間で通信接続を設定する携帯通信装置であって、
当該携帯通信装置が特定状態になったか否かを判別する判別手段と、
前記判別手段により特定状態になったことが判別される際に、前記外部端末装置に対して当該携帯通信装置との通信接続の設定を解除すべきことを通知すると共にその設定解除の報知を行うべきことを通知し、かつ、前記外部端末装置との通信接続の設定を解除する通信制御手段と、
を具備したことを特徴とする。
【０００７】
請求項１に従属する発明として、
前記通信制御手段は、前記通信接続の設定を解除すべきことを前記外部端末装置に対して通知する場合に、前記特定状態がどのような状態なのかを示す情報を前記外部端末装置に対して送信する、
ようにしたことを特徴とする、請求項２記載の発明であってもよい。
【０００８】
請求項１に従属する発明として、
電源電池の残量を検出する残量検出手段をさらに備え、
前記判別手段は、前記残量検出手段によって検出された電池残量の低下状態を前記特定状態として判別する、
ようにしたことを特徴とする、請求項３記載の発明であってもよい。
【０００９】
請求項１に従属する発明として、
外部通信網との受信状態を検出する受信検出手段をさらに備え、
前記判別手段は、前記受信検出手段によって検出された受信状態の悪化状態を前記特定状態として判別する、
ようにしたことを特徴とする、請求項４記載の発明であってもよい。
【００１０】
請求項１に従属する発明として、
前記判別手段は、当該携帯通信装置が前記特定状態とは異なる他の特定状態になったか否かを判別し、
前記通信接続制御手段は、前記判別手段により前記他の特定状態になったことが判別された際に、前記外部端末装置と当該携帯通信装置との通信接続を設定すべきことを前記外部端末装置に対して通知すると共に、前記外部端末装置との通信接続を設定する、
ようにしたことを特徴とする、請求項５記載の発明であってもよい。
【００１１】
請求項５に従属する発明として、
前記通信制御手段は、前記通信接続を設定すべきことを前記外部端末装置に対して通知する場合に、前記他の特定状態がどのような状態なのかを示す情報を前記外部端末装置に対して送信する、
ようにしたことを特徴とする、請求項６記載の発明であってもよい。
【００１２】
請求項５に従属する発明として、
電源電池の残量を検出する残量検出手段をさらに備え、
前記判別手段は、前記残量検出手段によって電池残量が所定値以上の良好な状態に回復した際に前記他の特定状態として判別する、
ようにしたことを特徴とする、請求項７記載の発明であってもよい。
【００１３】
請求項５に従属する発明として、
外部通信網との受信状態を検出する受信検出手段をさらに備え、
前記判別手段は、前記受信検出手段によって受信強度が所定値以上の良好な状態に回復した際に前記他の特定状態として判別する、
ようにしたことを特徴とする、請求項８記載の発明であってもよい。
【００１４】
請求項５に従属する発明として、
着信時に着信音を出力する着信音出力モードと着信音の出力を制限する着信音制限モードとの切り替えを行うモード切替手段をさらに備え、
前記判別手段は、前記モード切替手段により着信音出力モードから着信音制限モードに切り替えられた際に前記他の特定状態として判別する、
ようにしたことを特徴とする、請求項９記載の発明であってもよい。
【００１５】
また、上述した課題を解決するために請求項１０記載の発明は、
近傍の外部端末装置との間で通信接続を設定する携帯通信装置であって、
当該携帯通信装置が特定状態になったか否かを判別する判別手段と、
前記外部端末装置との通信接続の設定を解除する際に、前記判別手段により特定状態であることが判別された場合には、その通信接続の設定を解除するに先立って、前記特定状態を報知用の情報として前記外部端末装置に対して送信する通信制御手段と、
を具備したことを特徴とする。
【００１６】
請求項１０に従属する発明として、
前記判別手段は、当該携帯通信装置が前記特定状態とは異なる他の特定状態になったか否かを判別し、
前記通信制御手段は、さらに前記外部端末装置との通信接続を設定した際に、前記判別手段により他の特定状態であることが判別された場合には、前記他の特定状態を報知用の情報として前記外部端末装置に送信する、
ようにしたことを特徴とする、請求項１１記載の発明であってもよい。
【００１７】
また、上述した課題を解決するために請求項１２記載の発明は、
コンピュータに対して、
近傍の外部端末装置との間で通信接続を設定する機能と、
当該携帯通信装置が特定状態になったか否かを判別する機能と、
前記特定状態になったことが判別される際に、前記外部端末装置に対して当該携帯通信装置との通信接続の設定を解除すべきことを通知すると共にその設定解除の報知を行うべきことを通知し、かつ、前記外部端末装置との通信接続の設定を解除する機能と、
を実現させるためのプログラム、であることを特徴とする。
【００１８】
また、上述した課題を解決するために請求項１３記載の発明は、
コンピュータに対して、
近傍の外部端末装置との間で通信接続を設定する機能と、
当該携帯通信装置が特定状態になったか否かを判別する機能と、
前記外部端末装置との通信接続の設定を解除する際に、前記特定状態であることが判別された場合には、その通信接続の設定を解除するに先立って、前記特定状態を報知用の情報として前記外部端末装置に対して送信する機能と、
を実現させるためのプログラム、であることを特徴とする。
【発明の効果】
【００１９】
本発明によれば、近傍の外部端末装置と携帯通信装置との間での通信接続の設定を携帯通信装置側の状態に応じて適切に解除することができ、利便性の高いものなる。
【図面の簡単な説明】
【００２０】
【図１】携帯通信装置として適用した携帯電話機１の基本的な構成要素を示したブロック図。
【図２】腕時計２の基本的な構成要素を示したブロック図。
【図３】電源投入に応じて実行開始される携帯電話機１の全体動作のうち、本実施形態の特徴部分を示したフローチャート。
【図４】図３の動作に続くフローチャート。
【発明を実施するための形態】
【００２１】
以下、図１〜図４を参照して本発明の実施形態を説明する。
この実施形態は、携帯通信装置として携帯電話機１に適用し、近傍の外部端末装置として腕時計２に適用した場合で、図１は、携帯電話機１の基本的な構成要素を示したブロック図、また、図２は、腕時計２の基本的な構成要素を示したブロック図である。
携帯電話機１は、音声通話機能、電子メール機能、インターネット接続機能（Ｗｅｂアクセス機能）、近距離通信機能などを備え、図１に示すような構成となっている。ＣＰＵ１１は、二次電池（図示省略）を備えた電源部１２からの電力供給によって動作し、記憶部１３内の各種のプログラムに応じてこの携帯電話機１の全体動作を制御する中央演算処理装置である。
【００２２】
記憶部１３には、図３及び図４に示した動作手順に応じて本実施形態を実現するためのプログラムや各種のアプリケーションなどが格納されているほか、それに必要とする情報などが記憶されている。なお、記憶部１３は、例えば、ＳＤカードなど、着脱自在な可搬型メモリ（記録メディア）を含む構成であってもよく、図示しない所定の外部サーバ上にあってもよい。ＲＡＭ１４は、フラグ情報（後述する腕時計リンクフラグＦ１、マナーモードフラグＦ２）、画面情報など、携帯電話機１が動作するために必要な各種の情報を一時的に記憶するワーク領域である。
【００２３】
無線通信部１５は、通話機能の動作時にアンテナ１５Ａからの受信信号を受信ベースバンド信号に復調した後、音声信号処理部１６を介して通話用スピーカ１７から音声出力させ、また、通話用マイク１８からの入力音声データを音声信号処理部１６から取り込み、送信ベースバンド信号に符号化した後、アンテナ１５Ａから発信出力させる。この無線通信部１５には、アンテナ１５Ａで受信した電波のレベルを検出する受信電波強度検出部１５Ｂを有し、ＣＰＵ１１は、この受信電波強度検出部１５Ｂの検出結果に基づいて表示部１９のピクトエリアに受信強度アイコンを表示させるほか、受信環境が悪化しているか、受信環境が回復して良好であるかを判別するようにしている。この場合、例えば、受信強度アイコンを構成する３本バー表示のうち、レベルが最も低い１本バー表示以下、つまり、受信強度が著しく低下している場合には、受信環境が悪化していると判別し、受信環境が悪化しているときには、携帯電話機１が特定状態にあると判別し、受信環境が良好であるときには、携帯電話機１が他の特定状態にあると判別するようにしている。
【００２４】
表示部１９は、例えば、高精細液晶ディスプレイや有機ＥＬディスプレイ、電気泳動型ディスプレイ（電子ペーパ）などを使用したもので、文字情報、待受画像などの表示情報を表示する。操作部２０は、ダイヤル入力、文字入力、コマンド入力などを入力するもので、ＣＰＵ１１は、この操作部２０からの入力操作信号に応じた処理を実行する。報知部２１は、サウンドスピーカ２１Ａ、振動モータ２１Ｂなどを備え、着信時に駆動されて着信報知を行うほか、アラーム報知時などでも駆動される。
【００２５】
操作部２０でマナーモード操作が行われると、ＣＰＵ１１は、マナーモードフラグＦ２を“ＯＮ（オン）”／“ＯＦＦ（オフ）”することにより、着信時に着信音を出力する着信音出力モードと着信音の出力を制限する着信音制限モード（マナーモード）との切り替えを行い、マナーモードフラグＦ２が“ＯＦＦ”されている着信音出力モードでは、報知部２１のサウンドスピーカ２１Ａから着信音を発生させ、マナーモードフラグＦ２が“ＯＮ”されている着信音制限モード（マナーモード）では、報知部２１の振動モータ２１Ｂを駆動させるようにしている。このようにＲＡＭ１４内のマナーモードフラグＦ２は、着信音出力モードとマナーモードとの切り替えを指定するフラグである。ＣＰＵ１１は、マナーモードフラグＦ２に基づいて着信音出力モードであるかマナーモードであるかを判別したり、着信音出力モードであるときには携帯電話機１が特定状態であると判別したり、マナーモードであるときには、携帯電話機１が他の特定状態であると判別したりするようにしている。
【００２６】
ブルートゥース（Bluetooth：登録商標）・モジュール２２は、通常、一緒に携帯している携帯電話機１と外部端末装置としての腕時計２との間において、アンテナ２２Ａを介して交信を行うもので、その通信可能エリア内（例えば、略半径５ｍ以内）となっている。ＵＡＲＴ（Universal Asynchronous Receiver Transmitter）２３は、腕時計２との間で近距離通信（ブルートゥース通信）されるデータに対してシリアル／パラレル変換などのデータ処理を行うものである。
【００２７】
電池残量検出部２４は、電源部１２内の二次電池の電圧を取得してデジタル値（電池電圧値）に変換するもので、ＣＰＵ１１は、電源部１２内の二次電池の放電特性によって決められている複数の電圧範囲内のいずれかに電池電圧値が含まれているかに応じて電池残量（％）を検出するようにしている。この場合、ＣＰＵ１１は、電池残量検出部２４の検出結果に基づいて表示部１９のピクトエリアに電池残量アイコンを表示させるほか、電池残量（％）に基づいて電池残量が悪化している状態にあるか、電池残量が回復して良好な状態にあるかを判別するようにしている。この場合、例えば、電池残量アイコンを構成する３段階レベル表示のうち、レベルが最も低い１レベル表示以下、つまり、電池残量が著しく低下している場合には、受信環境が悪化していると判別し、電池残量が悪化しているときには、携帯電話機１が特定状態にあると判別し、電池残量が良好なときには、携帯電話機１が他の特定状態にあると判別するようにしている。
【００２８】
外部端末装置としての腕時計２は、計時機能、近距離通信機能などを備え、図２に示すように、基本的には携帯電話機１と同様のＣＰＵ３１、電源部３２、記憶部３３、ＲＡＭ３４のほか、現在日時を計時する計時部３５、現在日時などを表示する表示部３６、現在日時を修正したり各種コマンドを入力したりする操作部３７を有している。さらに携帯電話機１との間でアンテナ３８Ａを介して交信を行うブルートゥース・モジュール３８と、携帯電話機１との間で近距離通信されるデータに対してシリアル／パラレル変換などのデータ処理を行うＵＡＲＴ３９と、サウンドスピーカ、振動モータ、ＬＥＤ（発光ダイオード）、ピエゾ、振動モータのいずれかを備えた報知部４０を有している。なお、ＲＡＭ３４には、後述する携帯電話リンクフラグＦ３が記憶されている。
【００２９】
このように構成された携帯電話機１と腕時計２は、近距離無線通信（ブルートゥース通信）による通信リンクが確立（通信接続が設定）されることで、ブルートゥース・モジュール２２、３８を介して携帯電話機１と腕時計２との相互でデータ通信が可能となる。この場合、携帯電話機１、腕時計２のいずれか一方を探索可能状態に設定した状態において、他方から接続相手を特定するための探索操作（リンク操作：ペアリング操作）が行われると、携帯電話機１及び腕時計２は、接続相手先を確認するための認証処理を行い、その認証結果に応じて通信リンクを確立するようにしている。なお、ペアリング時には、予め同一の通信識別情報とデータ暗号化用のパスキーを入力しておく必要がある。
【００３０】
上述のようにして携帯電話機１と腕時計２との間で通信リンクが確立（通信接続が設定）されている状態の通信リンクＯＮ設定中において、腕時計２は、携帯電話機１から着信有りを示す情報を受信すると、報知部４０を駆動して着信報知を行うようにしている。そして、携帯電話機１、腕時計２のいずれか一方から通信リンクの解除（通信接続の設定解除）が要求されると、両者間での通信リンクが解除されて通信遮断状態（探察待ち状態）となる。ここで、ＲＡＭ１４内の腕時計リンクフラグＦ１は、腕時計２の間で通信リンクが確立されたか否かの状態を示すフラグで、腕時計リンクフラグＦ１が“ＯＮ”されているときには、通信リンクが確立されている状態を示し、“ＯＦＦ”されているときには、通信リンクが解除されている状態を示している。同様に、腕時計側の携帯電話リンクフラグＦ３は、携帯電話機１の間で通信リンクが確立されたか否かの状態を示すフラグで、携帯電話リンクフラグＦ３が“ＯＮ”されているときには、通信リンクが確立されている状態を示し、“ＯＦＦ”されているときには、通信リンクが解除されている状態を示している。
【００３１】
次に、本実施形態における携帯電話機１の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００３２】
図３及び図４は、電源投入に応じて実行開始される携帯電話機１の全体動作のうち、本実施形態の特徴部分を示したフローチャートである。
先ず、ＣＰＵ１１は、電源投入操作に応じてメモリなどをクリアする初期化処理を実行すると共に、待ち受け画像を表示させるなどの待ち受け状態となる（図３のステップＳ１）。この状態において、電話着信を検出したかを調べたり（ステップＳ２）、携帯電話機１の状態変化の有無を調べたりする（ステップＳ１１）。
【００３３】
ここで、携帯電話機１の状態変化として、電池残量検出部２４、受信電波強度検出部１５Ｂの検出結果に基づいて電池残量が悪化（電池残量が著しく低下）したり、受信環境が悪化（受信強度が著しく低下）したりして上述の特定状態に変化したか、又は電池残量が回復して良好な状態になったり、受信環境が回復して良好な状態になったりして他の特定状態に変化したかを調べる。いま、状態変化が無ければ（ステップＳ１１でＮＯ）、図４のステップＳ２１に移り、何らかの操作が行われたかの操作有無を調べる。
【００３４】
いま、電話着信を検出したときには（図３のステップＳ２でＹＥＳ）、ＲＡＭ１４内の腕時計リンクフラグＦ１を参照し、腕時計２との間で通信リンクが確立（通信接続が設定）されている状態の通信リンクＯＮ設定中であるかを調べ（ステップＳ３）、腕時計リンクフラグＦ１が“ＯＮ”、つまり、通信リンクＯＮ設定中であれば（ステップＳ３でＹＥＳ）、着信を受けたことを示す着信有り情報をブルートゥース・モジュール２２から腕時計２に対して送信する着信通知を行う（ステップＳ４）。この場合、腕時計２側では、携帯電話機１から着信有りを示す情報を受信すると、報知部４０を駆動して着信報知を行うが、その際、サウンドスピーカ、振動モータ、ＬＥＤ、ピエゾ、振動モータのいずれかを駆動したり、それらの２以上を組み合わせて駆動したりして着信報知を行うようにしている。一方、腕時計リンクフラグＦ１が“ＯＦＦ”、つまり、通信リンクが解除されているときには（ステップＳ３でＮＯ）、マナーモードフラグＦ２を参照し、マナーモード中であるかを調べる（ステップＳ８）。
【００３５】
マナーモードフラグＦ２が“ＯＮ”されているマナーモード中であれば（ステップＳ８でＹＥＳ）、報知部２１内の振動モータ２１Ｂを駆動させてバイブレーションによる着信報知を行うが（ステップＳ９）、マナーモードフラグＦ２が“ＯＦＦ”されていてマナーモードが解除されていれば（ステップＳ９でＮＯ）、報知部２１内のサウンドスピーカ２１Ａから着信音を発生させる着信音報知を行う（ステップＳ１０）。この着信報知に対する応答操作（オフフック操作）が行われると（ステップＳ５）、通話可能状態とする通話処理を開始させる（ステップＳ６）。その後、オンフック操作が行われたときには（ステップＳ７でＹＥＳ）、回線接続を遮断した後に、上述のステップＳ１に戻る。
【００３６】
また、何らかの操作が行われた場合には（図４のステップＳ２１でＹＥＳ）、腕時計２との通信リンクを確立する腕時計リンク操作が行われたか（ステップＳ２２）、着信音出力モードとマナーモードとを切り替えるマナーモード操作が行われたかを調べ（ステップＳ３４）、その他の操作が行われたときには（ステップＳ３４でＮＯ）、その操作キーに対応するその他の処理として、発信処理、メール送信処理などを実行した後（ステップＳ４４）、図３のステップＳ１に戻る。いま、マナーモード操作が行われたときには（ステップＳ３４でＹＥＳ）、マナーモードフラグＦ２を参照し、マナーモードフラグＦ２が“ＯＮ”されているマナーモード中であれば（ステップＳ３５でＹＥＳ）、マナーモードを解除して着信音出力モードに切り替えるためにマナーモードフラグＦ２を“ＯＦＦ”する（ステップＳ３６）。
【００３７】
そして、腕時計リンクフラグＦ１を参照し、腕時計リンクＯＮ設定中であるかを調べ（ステップＳ３７）、腕時計リンクフラグＦ１が“ＯＦＦ”されていて腕時計リンクＯＮ設定中でなければ、つまり、腕時計２との通信リンクが解除されている状態であれば（ステップＳ３７でＮＯ）、腕時計２との間で通信を行う必要がないので、図３のステップＳ１に戻る。また、マナーモードの解除時（マナーモード“ＯＦＦ”時）、つまり、特定状態への移行時に、腕時計リンクフラグＦ１が“ＯＮ”されていて腕時計リンクＯＮ設定中であれば（ステップＳ３７でＹＥＳ）、腕時計２に対して通信リンクを解除（通信接続を設定解除）すべきことを通知すると共にそのリンク解除の報知を行うべきことを通知する接続ＯＦＦ依頼をブルートゥース・モジュール２２から送信する（ステップＳ３８）。この場合、腕時計２側では、携帯電話機１からの接続ＯＦＦ依頼に応じて携帯時計リンクフラグＦ３を“ＯＦＦ”して携帯電話機１との通信リンクを解除すると共に、報知部４０からリンク解除の報知を行わせる。そして、携帯電話機１側では、腕時計リンクフラグＦ１を“ＯＮ”から“ＯＦＦ”に書き替えて腕時計２との通信リンクを解除する接続ＯＦＦ設定を行った後（ステップＳ３９）、図３のステップＳ１に戻る。
【００３８】
マナーモード操作が行われた際にマナーモードフラグＦ２が“ＯＦＦ”されている着信音出力モード中であれば（ステップＳ３５でＮＯ）、着信音出力モードを解除してマナーモードに切り替えるためにマナーモードフラグＦ２を“ＯＮ”させる（ステップＳ４０）。そして、腕時計リンクフラグＦ１を参照して、腕時計リンクＯＮ設定中であるかを調べる（ステップＳ４１）。いま、マナーモードへの切り替え時（マナーモード“ＯＮ”時）、つまり、他の特定状態への移行時に、既に腕時計２との通信リンクが確立されていて腕時計リンクＯＮ設定中であれば（ステップＳ４１でＹＥＳ）、その状態を維持するために図３のステップＳ１に戻る。
【００３９】
また、マナーモードへの切り替え時（マナーモード“ＯＮ”時）に、腕時計リンクフラグＦ１が“ＯＦＦ”されていて腕時計リンクＯＮ設定中でなければ（ステップＳ４１でＮＯ）、腕時計リンクフラグＦ１を“ＯＦＦ”から“ＯＮ”に書き替えて腕時計２との通信リンクを設定する接続ＯＮ設定を行う（ステップＳ４２）。そして、腕時計２に対して通信リンクを確立（通信接続を設定）すべきことを通知すると共にそのリンク確立の報知を行うべきことを通知する接続ＯＮ依頼をブルートゥース・モジュール２２から送信した後（ステップＳ４３）、図３のステップＳ１に戻る。この場合、腕時計２側では、携帯電話機１からの接続ＯＮ依頼に応じて携帯時計リンクフラグＦ３を“ＯＮ”させることにより携帯電話機１との通信リンクを確立すると共に、報知部４０からリンク確立の報知を行わせる。
【００４０】
また、状態変化有りを検出した場合（図３のステップＳ１１でＹＥＳ）、つまり、電池残量が悪化して電池残量が著しく低下した状態や受信環境が悪化して受信強度が著しく低下した状態（特定状態）に変化した場合、又は電池残量や受信環境が回復して良好な状態（他の特定状態）に変化した場合には、次のステップＳ１２に移り、悪化への変化であるか（特定状態への変化）であるかを調べる。ここで、電池残量が悪化している場合、受信環境が悪化している場合、電池残量及び受信環境が悪化している場合のいずれかであれば（ステップＳ１２でＹＥＳ）、腕時計リンクフラグＦ１を参照して、腕時計リンクＯＮ設定中であるかを調べる（ステップＳ１３）。
【００４１】
ここで、腕時計リンクフラグＦ１が“ＯＦＦ”されていて腕時計リンクＯＮ設定中でなければ、つまり、腕時計２との通信リンクが解除されている状態であれば（ステップＳ１３でＮＯ）、そのまま図３のステップＳ１に戻る。また、腕時計リンクフラグＦ１が“ＯＮ”されていて腕時計リンクＯＮ設定中であれば（ステップＳ１３でＹＥＳ）、この特定状態への変化に応じて携帯電話機１と腕時計２との通信リンクを解除するが、それに先立って、どのような理由で解除するのかを示すＯＦＦ理由を腕時計２に対して通知する（ステップＳ１４）。この場合、解除理由（ＯＦＦ理由）は、電池残量の悪化による解除、受信環境の悪化による解除、電池残量及び受信環境の悪化による解除のいずれかである。
【００４２】
このような解除理由（ＯＦＦ理由）の送信のほか、腕時計２に対して携帯電話機１との通信リンクを解除すべきことを通知すると共にそのリンク解除の報知を行うべきことを通知する接続ＯＦＦ依頼を行う（ステップＳ１５）。この場合、腕時計２側では、携帯電話機１からの接続ＯＦＦ依頼に応じて携帯時計リンクフラグＦ３を“ＯＦＦ”すると共に、表示部３６に解除理由（ＯＦＦ理由）を表示させ、さらに報知部４０からリンク解除の報知を行わせる。そして、携帯電話機１は、腕時計リンクフラグＦ１を“ＯＮ”から“ＯＦＦ”に書き替えて腕時計２との通信リンクを解除する接続ＯＦＦ設定を行った後（ステップＳ１６）、図３のステップＳ１に戻る。
【００４３】
また、電池残量や受信環境が回復して良好な状態に復帰したときには（ステップＳ１２でＮＯ）、マナーモードフラグＦ２を参照して、マナーモード中かを調べ（ステップＳ１７）、マナーモードフラグＦ２が“ＯＦＦ”されていれば（ステップＳ１７でＮＯ）、着信音出力モードに切り替えられている状態にあるので、図３のステップＳ１に戻る。また、マナーモード中であれば（ステップＳ１７でＹＥＳ）、腕時計リンクフラグＦ１を“ＯＦＦ”から“ＯＮ”に書き替えて腕時計２との通信リンクを確立する接続ＯＮ設定を行った後（ステップＳ１８）、腕時計２に対して携帯電話機１との通信リンクを確立すべきことを通知すると共にそのリンク確立の報知を行うべきことを通知する接続ＯＮ依頼を行う（ステップＳ１９）。
【００４４】
そして、どのような理由によってリンクが確立したのかを示すＯＮ理由を腕時計に対して通知した後（ステップＳ２０）、図３のステップＳ１に戻る。この場合、リンク確立理由（ＯＮ理由）は、電池残量の回復、受信環境の回復、電池残量及び受信環境の回復のいずれかである。この場合、腕時計２側では、携帯電話機１からの接続ＯＮ依頼に応じて携帯時計リンクフラグＦ３を“ＯＮ”すると共に、表示部３６にリンク確立理由（ＯＮ理由）を表示させ、さらに報知部４０からリンク確立の報知を行わせる。
【００４５】
また、腕時計２との通信リンクを確立させるリンク操作（ペアリング操作）が行われたときには（図４のステップＳ２２でＹＥＳ）、腕時計リンクフラグＦ１を参照し、腕時計リンクＯＮ設定中であるかを調べる（ステップＳ２３）。いま、腕時計リンクフラグＦ１が“ＯＮ”されていて腕時計リンクＯＮ設定中であれば（ステップＳ２３でＹＥＳ）、電池残量検出部２４、受信電波強度検出部１５Ｂの検出結果に基づいて現在の状態をチェックし（ステップＳ２４）、電池残量が悪化状態（電池残量が著しく低下した状態）となったり、受信環境が不良状態（受信強度が著しく低下した状態）となったりしている特定状態であるかを調べる（ステップＳ２５）。いま、電池残量が悪化状態となったり、受信環境が不良状態となったりしている特定状態であれば（ステップＳ２５でＹＥＳ）、腕時計２に対してその特定状態（現状態）を通知する（ステップＳ２６）。なお、電池残量が悪化状態となったり、受信環境が不良状態となったりしている特定状態でなければ（ステップＳ２５でＮＯ）、上述の特定状態の通知処理（ステップＳ２６）をスキップする。
【００４６】
その後、腕時計２に対して携帯電話機１との通信リンクを解除すべきことを通知すると共にそのリンク解除の報知を行うべきことを通知する接続ＯＦＦ依頼を行う（ステップＳ２７）。この場合、腕時計２側では、携帯電話機１からの接続ＯＦＦ依頼に応じて携帯時計リンクフラグＦ３を“ＯＦＦ”すると共に、報知部４０からリンク解除の報知を行わせる。また、携帯電話機１から特定状態（現状態）が通知された場合には、表示部３６に特定状態（現状態）を表示させる。そして、携帯電話機１は、腕時計リンクフラグＦ１を“ＯＮ”から“ＯＦＦ”に書き替えて腕時計２との通信リンクを解除する接続ＯＦＦ設定を行った後（ステップＳ２８）、図３のステップＳ１に戻る。
【００４７】
また、腕時計リンク操作時に腕時計リンクフラグＦ１が“ＯＦＦ”されていて腕時計リンクＯＮ設定中でなければ（ステップＳ２３でＮＯ）、腕時計リンクフラグＦ１を“ＯＦＦ”から“ＯＮ”に書き替えて腕時計２との通信リンクを確立する接続ＯＮ設定を行った後（ステップＳ２９）、腕時計２に対して携帯電話機１との通信リンクを確立すべきことを通知すると共にそのリンク確立の報知を行うべきことを通知する接続ＯＮ依頼を行う（ステップＳ３０）。この場合、腕時計２側では、携帯電話機１からの接続ＯＮ依頼に応じて携帯時計リンクフラグＦ３を“ＯＮ”すると共に、報知部４０からリンク確立の報知を行う。その後、携帯電話機１は、電池残量検出部２４、受信電波強度検出部１５Ｂの検出結果に基づいて現在の状態をチェックし（ステップＳ３１）、電池残量が悪化状態（電池残量が著しく低下した状態）となったり、受信環境が不良状態（受信強度が著しく低下した状態）となったりしている特定状態であるかを調べる（ステップＳ３２）。
【００４８】
いま、電池残量が悪化状態となったり、受信環境が不良状態となったりしている特定状態であれば（ステップＳ３２でＹＥＳ）、腕時計２に対してその特定状態（現状態）を通知する（ステップＳ３３）。この場合、腕時計２側では、携帯電話機１から特定状態（現状態）の通知に応じて、表示部３６に特定状態（現状態）を表示させる。次に、上述のステップＳ２７に移り、腕時計２に対して接続ＯＦＦ依頼を行う。そして、携帯電話機１は、腕時計リンクフラグＦ１を“ＯＮ”から“ＯＦＦ”に書き替えて腕時計２との通信リンクを解除する接続ＯＦＦ設定を行った後（ステップＳ２８）、図３のステップＳ１に戻る。
【００４９】
以上のように、本実施形態において携帯電話機１は、特定状態になった際に、腕時計（外部端末装置）２に対して当該携帯電話機１との通信接続の設定（通信リンクの確立）を解除すべきことを通知すると共にその設定解除の報知を行うべきことを通知し、かつ、携帯電話機１との通信接続の設定を解除するようにしたので、通信接続の設定を携帯電話機１側の状態に応じて適切に解除することができ、通信接続に適さない状況下での無駄な通信接続を回避することができ、利便性の高いものなる。
【００５０】
携帯電話機１は、通信接続の設定を解除すべきことを腕時計２に対して通知する場合に、特定状態がどのような状態なのかを示す情報を腕時計２に対して送信するようにしたので、ユーザにあっては通信接続の設定解除の理由を腕時計２側で知ることができる。
【００５１】
電池残量検出部２４の検出結果に基づいて電池残量の低下状態を特定状態として判別するようにしたので、腕時計２との通信接続中に携帯電話機１側の電池残量の悪化を起因とする誤作動（例えば、電力不足による腕時計２との通信不能状態）の危険性を未然に回避することができる。
【００５２】
通話機能用の受信電波強度検出部１５の検出結果に基づいてその受信状態の悪化状態を特定状態として判別するようにしたので、腕時計２との通信接続中に携帯電話機１側の受信環境の悪化を起因とする誤作動（例えば、着信自体の検出不能による腕時計への未通知状態）の危険性を未然に回避することができる。
【００５３】
携帯電話機１は、その特定状態とは異なる他の特定状態になった際に、腕時計２との通信接続を設定すべきことを腕時計に対して通知すると共に、腕時計２との通信接続を設定するようにしたので、特定状態の移り変わりに応じて腕時計２との通信接続の設定解除からその設定状態に移行させることができる。
【００５４】
腕時計２に対して通信接続を設定すべきことを通知する場合に、他の特定状態がどのような状態なのかを示す情報を送信するようにしたので、通ユーザにあっては通信接続の設定理由を腕時計２側で知ることができる。
【００５５】
電池残量検出部２４の検出結果に基づいて電池残量が所定値以上の良好な状態に回復した際に他の特定状態として判別するようにしたので、電力不足の状態から電池残量が回復した際に腕時計２との通信接続を設定することができ、腕時計２との通信を正常に行うことができる。
【００５６】
通話機能用の受信電波強度検出部１５の検出結果に基づいて受信強度が所定値以上の良好な状態に回復した際に他の特定状態として判別するようにしたので、受信環境が良好な状態に回復した際に腕時計２との通信接続を設定することができ、腕時計２に対して着信を正常に通知することができる。
【００５７】
着信音出力モードからマナーモードに切り替えられた際（マナーモード“ＯＮ”時）に、他の特定状態として判別するようにしたので、必要なときに腕時計２との通信接続を設定することができる。
【００５８】
腕時計２との通信接続の設定を解除する際に、携帯電話機１が特定状態であれば、その通信接続の設定を解除するに先立って、特定状態を報知用の情報として腕時計２に対して送信するようにしたので、ユーザにあっては通信接続の設定解除の理由を腕時計２側で知ることができる。
【００５９】
腕時計２との通信接続を設定した際に、携帯電話機１の特定状態とは異なる他の特定状態になった場合には、この他の特定状態を報知用の情報として腕時計２に送信するようにしたので、他の特定状態への移り変わりに応じて腕時計２との通信接続の設定解除からその設定状態に移行させることができる。
【００６０】
なお、上述した実施形態においては、近距離通信機能として、ブルートゥース通信を例示したが、これに限らず、例えば、赤外線通信、非接触ＩＣカードを利用した通信であってもよく、また、近距離通信機能に限らず、例えば、人体の接触検出に応じて人体（誘電体）を通信媒体としてデータ通信を行う人体接触通信機能であってもよい。この場合、衣服などの絶縁体を介した状態であっても通信可能とするために人体の静電気層に信号を与えて通信を行うようにした電界式を採用するようにしてもよいが、電界式に限らず、電流式など任意の方式であってもよい。また、携帯電話機１と腕時計２との間で行われる通信無線ＬＡＮ（構内ネットワーク）を介して行う通信であってもよい。
【００６１】
上述した実施形態においては、通信端末装置として携帯電話機１を例示したが、これに限らず、例えば、通信機能を備えるパーソナルコンピュータ、ＰＤＡ、デジタルカメラ、音楽プレイヤー、それらの複合機など、通信機能を備える任意の通信端末装置であってもよい。
【００６２】
また、上述した実施形態においては、外部端末装置として腕時計２を例示したが、その他の電子装身具（例えば、通信機能を備えたペンダント、ブレスレット）、ヘッドフォーン、ＰＤＡ、デジタルカメラ、音楽プレイヤーなど、それらの複合機など、通信機能を備える任意の外部端末装置であってもよい。
【００６３】
なお、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００６４】
１  携帯電話機
２  腕時計
１１、３１  ＣＰＵ
１３、記憶部  記憶部
１５  無線通信部
１５Ｂ  受信電波強度検出部
１９、３６  表示部
２０、３７  操作部
２１  報知部
２２、３８  ブルートゥース・モジュール
２４  電池残量検出部
Ｆ１  腕時計リンクフラグ
Ｆ２  マナーモードフラグ
Ｆ３  携帯時計リンクフラグ
【図１】
2012060492.tif 000003
【図２】
2012060492.tif 000004
【図３】
2012060492.tif 000005
【図４】
2012060492.tif 000006